(57)【要約】      （修正有）【課題】大部分の入射光源は浪費されず、イメージのコントラストを増加し、また、レーザー光を直接光源とすることができ、拡張なしで、イメージの解像力を向上させる顕微鏡の照明装置を提供する。【解決手段】顕微鏡の照明装置は、一対の凸面錐体鏡１２３ａと凹面錐体鏡１２３ｂからなる一組の錐体鏡を利用して、暗視野顕微鏡に必要な環形光を生成し、両錐体鏡の同軸軌道に沿って凸面錐体鏡１２３ａを滑動させて、環形光の大きさを連続で変化させる。この他、更に、明視野顕微鏡の照明を提供する。直接、凸面錐体鏡１２３ａと連接する４５度の柱状明視野顕微鏡を利用して、暗視野顕微鏡と同一光源、或いは、異なる光源が生成する光を受けたり、発射したりする。よって、デュアル照明功能を有し、現行の顕微鏡に応用できる。【選択図】図３
0003150912.tif 000002
【実用新案登録請求の範囲】
【請求項１】
顕微鏡の照明装置であって、
高さ方向に平行、かつ頂点から底面へ向かう方向である正方向の光を受け、外向きに環射光を反射する第一錐体鏡と、
中心ホールを有し、前記正方向の光を前記中心ホールから通過させ、鏡面が前記第一錐体鏡の鏡面と平行で、前記環射光を受けると共に、前記正方向に環形光を反射する第二錐体鏡と
を備えることを特徴とする顕微鏡の照明装置。
【請求項２】
前記第一錐体鏡は凸面錐体鏡であることを特徴とする請求項１に記載の顕微鏡の照明装置。
【請求項３】
前記第二錐体鏡は凹面錐体鏡であることを特徴とする請求項２に記載の顕微鏡の照明装置。
【請求項４】
前記第一錐体鏡と対面し、第一横向け光を受け、前記正方向に光を反射する暗視野ミラーと、
前記第一錐体鏡よりも前記正方向の下流側にあり、第二横向け光を受け、前記正方向に光を反射する明視野ミラーと、
を更に備え、
前記第一横向け光と前記第二横向け光は同一光源、又は、異なる光源から発射されることを特徴とする請求項１に記載の顕微鏡の照明装置。
【請求項５】
前記明視野ミラーは４５度であることを特徴とする請求項４に記載の顕微鏡の照明装置。
【請求項６】
前記第一錐体鏡および前記第二錐体鏡の少なくとも一方の移動が可能なように設けられ、前記第一錐体鏡と前記第二錐体鏡とを同軸軌道に沿って相対運動させる環形光調整装置を更に備え、前記正方向の環形光の大きさを調整することを特徴とする請求項１に記載の顕微鏡の照明装置。
【請求項７】
前記第一錐体鏡は底部から前記同軸軌道と平行に伸びる柱体部を有することを特徴とする請求項６に記載の顕微鏡の照明装置。
【請求項８】
前記環形光調整装置は、前記同軸軌道と平行なトラックを有し、前記トラックは前記柱体上に設置されることを特徴とする請求項７に記載の顕微鏡の照明装置。
【請求項９】
前記第一錐体鏡と対面し、第一横向け光を受け、前記正方向に光を反射する暗視野ミラーと、
前記柱体に連接され、第二横向け光を受け、前記正方向に光を反射する明視野ミラーと、
を更に備え、
前記第一横向け光と前記第二横向け光は同一光源、又は、異なる光源から発射されることを特徴とする請求項７に記載の顕微鏡の照明装置。
【請求項１０】
前記明視野ミラーは４５度であることを特徴とする請求項９に記載の顕微鏡の照明装置。
【考案の詳細な説明】
【技術分野】
【０００１】
本考案は、顕微鏡の照明装置（ILLUMINATOR FOR MICROSCOPE）に関するものであって、特に、暗視野イメージコントラスト、および、解像を増加させ、現有の顕微鏡設計を変化させない条件下で使用できる、明視野/暗視野顕微鏡の照明装置に関するものである。
【背景技術】
【０００２】
暗視野顕微技術は暗い背景でサンプル内部を鮮明に映し出し、透明や半透明の物体中の微細構造、例えば、生物の細胞内部の細胞小器官を観察することができる。
【０００３】
公知の暗視野顕微技術は図１で示されるように、正方向の光１１３が視野絞り１２１上に投射し、視野絞り１２１周囲から通過する光線は正方向の環形光１１５を生成し、プリズムレンズ１３０を経て、焦点で光点１１６になり、サンプルを載せたスライド１４０を通過し、正方向の環形光１１５が集光鏡を経ると、大きい入射角でサンプルを照射する。一部の光線はサンプルに入射後散乱され、このサンプルの散乱光１１７はイメージに集光され、もう一部の光線１１８は直接通過する。これは、光線１１８の入射角度が大きく、顕微鏡の対物鏡１５０により集光されず、暗視野を生成するからである。
【０００４】
図２は、図１中で入射する正方向の光１１３（点線AA'）、 視野絞り１２１（点線BB'）、および、視野絞り１２１周囲から通過する光線が形成する正方向の環形光１１５（点線CC'）の断面図である。この技術は、正方向の環形光１１５を形成するため、大部分の光源強度をロスし、イメージのコントラストが低下する。イメージコントラストを増加させるためには、強い光源を使用しなければならない。この他、この技術はレーザーを光源とするのは不適合である。レーザー光の直径が通常、視野絞りの内径より小さく、レーザー光が視野絞りにより全光源が遮蔽されるのを回避するため、レーザー光は拡張（Beam extension）しなければならず、レーザー光源強度の大量の損失を招き、イメージ解像が悪くなる。
【考案の概要】
【考案が解決しようとする課題】
【０００５】
上述の問題を解決するため、本考案は、一組の鏡面が相対し、且つ、平行な錐体鏡を利用して、暗視野顕微技術に必要な環形光源を提供し、且つ、環形光の大きさを調整するメカニズムを有し、よって、大部分の入射光源は浪費されず、イメージのコントラストを増加し、また、レーザー光を直接光源とすることができるので、拡張なしで、イメージの解像力を向上させることを目的とする。
【課題を解決するための手段】
【０００６】
本考案の顕微鏡の照明装置は、明視野、および、暗視野功能を有し、明視野、および、暗視野光源は同じでも異なっていてもよいので、顕微鏡の現有の設計を変化させない状況下でも使用できる。
【０００７】
本考案の顕微鏡の照明装置は、正方向の光を受け、外に環射光を反射する第一錐体鏡と、中心ホールを有し、正方向の光を中心ホールから通過させ、第一錐体鏡の鏡面と平行で、環射光を受けると共に、正方向の環形光を反射する第二錐体鏡と、からなる。
【０００８】
本考案の顕微鏡の照明装置は、更に、環形光調整装置を有し、第一錐体鏡と第二錐体鏡のどちらか、或いは、両方上に設置されて、第一錐体鏡と第二錐体鏡を同軸軌道に沿って相対運動させて、正方向の環形光の大きさを調整する。
本考案の顕微鏡の照明装置は、更に、第一錐体鏡と対面し、第一横向け光を受け、正方向の光を反射する暗視野ミラーと、第一錐体鏡と反対側にあり、第二横向け光を受け、明視野正方向の光を反射する明視野ミラーと、を有し、第一横向け光と第二横向け光は同一光源、或いは、異なる光源から発射される。
【考案の効果】
【０００９】
本考案の顕微鏡の照明装置は、暗視野イメージコントラスト、および、解像を増加させ、現有の顕微鏡設計を変化させない条件下で使用できる。
【図面の簡単な説明】
【００１０】
【図１】公知技術の光学図である。
【図２】図１の点線部分の断面図である。
【図３】本考案の実施例による暗視野顕微鏡照明部分の光学図である。
【図４】本考案の実施例による明視野/暗視野顕微鏡照明装置の光学図である。
【図５】本考案の実施例による顕微鏡の照明装置の構造図である。
【考案を実施するための形態】
【実施例】
【００１１】
図３で示されるように、本考案の顕微鏡の照明装置１２０は、正方向の光１１３を受け、環射光１１４を反射する第一錐体鏡１２３ａと、第一錐体鏡１２３ａの鏡面と平行で、環射光１１４を受けると共に、正方向の環形光１１５を反射する第二錐体鏡１２３ｂと、からなる。好ましい実施例中、第一錐体鏡１２３ａは凸面錐体鏡で、第二錐体鏡１２３ｂは凹面錐体鏡である。また、一実施例中、第二錐体鏡１２３ｂは三片の平面鏡により形成される角錐鏡である。正方向の環形光１１５は単に反射により形成されたもので、光源を遮蔽しないので、イメージのコントラストを増加させ、レーザー光線を拡張する必要がないので、イメージの解像度を増加させることができる。
【００１２】
図３を続けて参照し、本考案の実施例は、更に、環形光調整装置１２５を有し、正方向の環形光１１５の大きさを調整する。第一錐体鏡１２３ａと第二錐体鏡１２３ｂがそれぞれ、凸面錐体鏡、および、凹面錐体鏡である場合、環形光調整装置１２５は、正方向の環形光１１５の直径を調整することができる。一実施例中、環形光調整装置１２５は、同軸軌道EE'と平行のトラック（矢印１２５ａ）を有し、第一錐体鏡１２３ａ、第二錐体鏡１２３ｂのどちらか、或いは、同時に両方上に設置されて、第一錐体鏡１２３ａと第二錐体鏡１２３ｂを同軸軌道EE'に沿って相対運動させ、二者の距離が離れるほど、正方向の環形光１１５の直径が大きくなり、且つ、この直径は連続して調整されることができる。一実施例中、第一錐体鏡１２３ａの底部は柱体１２４を延伸したもので、この柱体１２４と同軸軌道EE'は平行で、トラック１２５ａはこの柱体１２４上に設置される。別の実施例中、環形光調整装置１２５は、更に、少なくとも一つの調整リング１２５ｂを有し、挟持柱体１２４は、図４で示されるように、第一錐体鏡１２３ａを調整して、第二錐体鏡１２３ｂと平行にする。
【００１３】
図５を参照すると、本考案の実施例は顕微鏡の照明装置１２０を提供し、同時に、明視野と暗視野の功能を有し、一個の光源、或いは、二個の光源しか使用しないので、顕微鏡の現有の設計を変化させない条件下でも使用できる。本実施例は、更に、第一横向け光１１１を受け、正方向の光１１３を反射する暗視野ミラー１２２と、第一錐体鏡１２３ａと反対側にあり、第二横向け光１１２を受け、明視野正方向の光１１９を反射する明視野ミラー１２６と、を有し、第一横向け光１１１と第二横向け光１１２は同一光源１１０から発射し、光ファイバー１２７により伝送して、両横向け光１１１、１１２を発射する。一実施例中、明視野ミラー１２６は柱状で、第一錐体鏡１２３ａの柱体１２４と連接し、環形光調整装置１２５が柱体１２４上に設置され、且つ、環形光調整装置１２５は、更に、トラック１２５ｃを有し、図３中の同軸軌道EE'と平行で、第二横向け光１１２と明視野ミラー１２６を同時に移動させて、明視野ミラー１２６が第二横向け光１１２の受けるのを維持する。一実施例中、暗視野ミラーと明視野ミラーはそれぞれ４５度である。
【００１４】
総合すると、本考案の顕微鏡の照明装置は、一組の平行な錐体鏡、好ましい実施例では、凸面錐体鏡と凹面錐体鏡により、光源の環形化を達成して、暗視野顕微に使用する。その長所は、光源の利用率を向上させて、イメージコントラストを増加する効果を達成し、また、レーザー光源の使用に適合し、暗視野イメージの解像度を増加させる。本考案は、凸面錐体鏡が二錐体鏡の同軸軌道に沿って滑動して、環形光の大きさを連続調整する。この他、本考案は、明視野照明の設計と暗視野照明を合併し、４５度の柱状明視野ミラーと凸面錐体鏡の柱体が連接して、暗視野顕微鏡と同じ、或いは、異なる光源の光を受けたり発射したりする。よって、顕微鏡の現有の設計を変化させない条件下で使用できる。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１６】
１１０  光源
１１１  第一横向け光
１１２  第二横向け光
１１３  正方向の光
１１４  環射光
１１５  正方向の環形光
１１６  光点
１１７  サンプル散乱光
１１８  光線
１１９  明視野正方向の光
１２０  顕微鏡の照明装置
１２１  視野絞り
１２２  暗視野ミラー
１２３ａ  第一錐体鏡
１２３ｂ  第二錐体鏡
１２４  柱体
１２５  環形光調整装置
１２５ａ、１２５ｃ  トラック
１２５ｂ  調整リング
１２６  明視野ミラー
１２７  光ファイバ
１３０  集光レンズ
１４０  スライド
１５０  対物鏡
【図１】
0003150912.tif 000003
【図２】
0003150912.tif 000004
【図３】
0003150912.tif 000005
【図４】
0003150912.tif 000006
【図５】
0003150912.tif 000007